(57)【要約】【課題】移動体通信端末での効果的な割込制御と利便性向上を実現する。【解決手段】移動体通信端末１００のユーザは、番組を特定するキーワードを移動体通信端末１００に登録する。移動体通信端末１００では、テレビ放送の視聴時に、視聴する番組の番組情報を取得し、登録されたキーワードが含まれているか否かを判別する。キーワードが含まれている場合、移動体通信端末１００は、当該番組の視聴中に割込による中断を禁止する視聴優先モードを設定する。視聴優先モード下での視聴時に、音声通話の着信が移動体通信端末１００で発生すると、移動体通信端末１００は、留守番電話サービスへの接続をサービス提供装置２００に要求する。サービス提供装置２００は、発呼者の伝言メッセージを文字情報に変換して移動体通信端末１００に送信する。移動体通信端末１００では、受信した文字情報をテレビ映像の表示画面上に表示する。【選択図】図１
2007221477.tif 000002
【特許請求の範囲】
【請求項１】
テレビ放送視聴機能を備える移動体通信端末であって、
テレビ番組の番組情報にかかるキーワードを格納するキーワード記憶手段と、
前記テレビ放送視聴機能で視聴されるテレビ番組の番組情報を取得する番組情報取得手段と、
前記番組情報取得手段が取得した番組情報に前記キーワード記憶手段に格納されたキーワードが含まれているか否かを判別する番組判別手段と、
前記番組情報に前記キーワードが含まれている場合、当該テレビ番組の視聴中に割込動作を禁止する視聴優先モードを選択して実行するモード選択手段と、
を備えることを特徴とする移動体通信端末。
【請求項２】
前記視聴優先モードの実行中に、前記移動体通信端末への音声通話の着信が発生した場合、留守番電話機能を実行する着信処理手段と、
前記留守番電話機能で録音された伝言メッセージを示す文字情報を、前記視聴優先モードで視聴中のテレビ番組画面とともに表示するメッセージ表示手段と、
をさらに備えることを特徴とする請求項１に記載の移動体通信端末。
【請求項３】
前記着信処理手段は、移動体通信網を介して接続されたサービス提供装置に、留守番電話サービスの実行を要求し、
前記メッセージ表示手段は、前記サービス提供装置から送信される前記文字情報を、前記移動体通信網を介して受信して表示する、
ことを特徴とする請求項２に記載の移動体通信端末。
【請求項４】
前記着信処理手段は、前記着信にかかる発呼者の発話音声を文字情報に変換し、
前記メッセージ表示手段は、前記着信処理手段によって変換された文字情報を表示する、
ことを特徴とする請求項２または３に記載の移動体通信端末。
【請求項５】
前記モード選択手段は、前記移動体通信端末でテレビ番組を視聴しているユーザからの指示に基づいて、当該テレビ番組に対する視聴優先モードの設定あるいは解除をおこない、
前記キーワード記憶手段は、前記モード選択手段が視聴優先モードを選択した場合、前記番組情報取得手段が取得した当該テレビ番組の番組情報からキーワードを取得して格納する、
ことを特徴とする請求項１乃至４のいずれか１項に記載の移動体通信端末。
【請求項６】
前記キーワード記憶手段は、前記モード選択手段が視聴優先モードの解除をおこなった場合、前記番組情報取得手段が取得した当該テレビ番組の番組情報からキーワードを取得して、格納されているキーワードから当該キーワードを削除する、
ことを特徴とする請求項５に記載の移動体通信端末。
【請求項７】
移動体通信網に接続され、該移動体通信網を利用する移動体通信端末にサービスを提供するサービス提供装置であって、
テレビ放送の視聴を優先する視聴優先モードが実行されている移動体通信端末からの要求に応じて、当該移動体通信端末への音声通話の発呼者に対し、留守番電話サービスを提供するサービス提供手段と、
前記サービス提供手段が提供した留守番電話サービスによって録音された伝言メッセージを文字情報に変換する変換手段と、
前記変換手段によって変換された文字情報を、前記移動体通信網を介して、前記サービスを要求した移動体通信端末に送信する送信手段と、
を備えることを特徴とするサービス提供装置。
【請求項８】
テレビ放送視聴機能を有する移動体通信端末を制御するコンピュータに、
テレビ番組を特定するためのキーワードを記憶装置に格納する機能と、
視聴されるテレビ番組の番組情報を取得する機能と、
前記番組情報に前記キーワードが含まれる場合、当該テレビ番組の視聴中における割込動作を禁止する視聴優先モードを選択して実行する機能と、
を実現させることを特徴とするプログラム。
【発明の詳細な説明】
【技術分野】
【０００１】
本発明は、移動体通信端末、サービス提供装置、および、プログラムに関し、特に、テレビ放送視聴機能利用時の利便性向上に好適な移動体通信端末、サービス提供装置、および、プログラムに関する。
【背景技術】
【０００２】
近時、地上デジタル放送などで放送されるテレビ番組の視聴機能を備えた移動体通信端末が実現されている。しかしながら、携帯電話などの移動体通信端末は、テレビ視聴専用の装置ではないため、テレビ番組視聴中に、例えば、電話の着信やアラーム鳴動などが発生する場合がある。このような場合、通常、割込処理によりテレビ視聴機能が中断されることになる。したがって、例えば、ユーザにとって重要なテレビ番組の視聴中にこのような中断が発生することは不都合となる。
【０００３】
したがって、このようなテレビ視聴中に割込を制御することが、移動体通信端末の利便性のために求められる。このため、テレビ視聴中の割込を制御する方法が従来より提案されている。例えば、割込を禁止したいテレビ番組を視聴するときに、ユーザの端末操作によって指定する方法や、割込を禁止したい時間帯を予めユーザが指定する方法などがある（例えば、特許文献１）。
【特許文献１】特開２００３−６１００３号公報
【発明の開示】
【発明が解決しようとする課題】
【０００４】
しかしながら、割込を禁止したいテレビ番組を視聴するときにユーザが指定する方法では、テレビ番組を視聴する度に毎回操作する必要があり、ユーザにとって煩雑である。また、割込を禁止する時間帯を指定する方法では、テレビ番組の放送時間が変わってしまった場合などに対応することができず、該当するテレビ番組の視聴中に割込が発生したり、反対に、テレビ番組の視聴中でないにも関わらず割込が発生しなくなったりするなどといった、ユーザの意図しない動作となってしまう問題がある。
【０００５】
本発明は、上記実状に鑑みてなされたものであり、所望するテレビ番組視聴中の効果的な割込制御を容易に実現することができる移動体通信端末等を提供することを目的とする。
【課題を解決するための手段】
【０００６】
上記目的を達成するため、本発明の第１の観点にかかる移動体通信端末は、
テレビ放送視聴機能を備える移動体通信端末であって、
テレビ番組の番組情報にかかるキーワードを格納するキーワード記憶手段と、
前記テレビ放送視聴機能で視聴されるテレビ番組の番組情報を取得する番組情報取得手段と、
前記番組情報取得手段が取得した番組情報に前記キーワード記憶手段に格納されたキーワードが含まれているか否かを判別する番組判別手段と、
前記番組情報に前記キーワードが含まれている場合、当該テレビ番組の視聴中に割込動作を禁止する視聴優先モードを選択して実行するモード選択手段と、
を備えることを特徴とする。
【０００７】
このような構成によれば、格納されているキーワードがテレビ番組の番組情報に含まれている場合には、そのテレビ番組視聴中に視聴優先モードが実行されるので、割込動作を禁止することができる。例えば、割込動作を禁止したいテレビ番組の番組名やジャンル名などをキーワードとして登録することで、効果的な割込制御を容易におこなうことができる。
【０００８】
上記移動体通信端末において、
前記視聴優先モードの実行中に、前記移動体通信端末への音声通話の着信が発生した場合、留守番電話機能を実行する着信処理手段と、
前記留守番電話機能で録音された伝言メッセージを示す文字情報を、前記視聴優先モードで視聴中のテレビ番組画面とともに表示するメッセージ表示手段と、
をさらに備えることを特徴とする。
【０００９】
このような構成によれば、視聴優先モード時に音声通話の着信があった場合は、留守番電話機能が実行されるとともに、録音された伝言メッセージが文字情報として表示されるので、テレビ視聴を中断することなく、着信があった旨や伝言メッセージをユーザに通知することができる。
【００１０】
上記移動体通信端末において、
前記着信処理手段は、移動体通信網を介して接続されたサービス提供装置に、留守番電話サービスの実行を要求し、
前記メッセージ表示手段は、前記サービス提供装置から送信される前記文字情報を、前記移動体通信網を介して受信して表示することができる。
【００１１】
このような構成によれば、視聴優先モード時に音声通話の着信があった場合、例えば、キャリアなどによって提供される留守番電話サービスを利用して、発呼者の伝言メッセージを文字情報として表示することができる。
【００１２】
上記移動体通信端末において、
前記着信処理手段は、前記着信にかかる発呼者の発話音声を文字情報に変換してもよく、この場合、
前記メッセージ表示手段は、前記着信処理手段によって変換された文字情報を表示することができる。
【００１３】
このような構成によれば、移動体通信端末に留守番電話機能がある場合は、移動体通信端末において伝言メッセージを録音するとともに、文字情報に変換して表示することができる。
【００１４】
上記移動体通信端末において、
前記モード選択手段は、前記移動体通信端末でテレビ番組を視聴しているユーザからの指示に基づいて、当該テレビ番組に対する視聴優先モードの設定あるいは解除をおこなってもよく、この場合、
前記キーワード記憶手段は、前記モード選択手段が視聴優先モードを選択した場合、前記番組情報取得手段が取得した当該テレビ番組の番組情報からキーワードを取得して格納することができる。
【００１５】
このような構成によれば、移動体通信端末でテレビ番組の視聴中に、視聴優先モードの設定もしくは解除をおこなうことができる。そして、設定をおこなう場合は、視聴中のテレビ番組についての番組情報から自動的にキーワードを登録することができるので、例えば、連続ドラマなどといった同一の番組名で複数回放送されるような番組についても、１度の操作で毎回視聴優先モードとすることができる。
【００１６】
上記移動体通信端末において、
前記キーワード記憶手段は、前記モード選択手段が視聴優先モードの解除をおこなった場合、前記番組情報取得手段が取得した当該テレビ番組の番組情報からキーワードを取得して、格納されているキーワードから当該キーワードを削除することができる。
【００１７】
このような構成によれば、移動体通信端末でテレビ番組の視聴中に、視聴優先モードの解除をおこなう場合は、視聴中のテレビ番組についての番組情報から自動的にキーワードを取得し、そのキーワードを格納されているキーワードの中から削除することができるので、例えば、連続ドラマなどといった同一の番組名で複数回放送されるような番組についても、１度の操作で視聴優先モードを解除することができる。
【００１８】
上記目的を達成するため、本発明の第２の観点にかかるサービス提供装置は、
移動体通信網に接続され、該移動体通信網を利用する移動体通信端末にサービスを提供するサービス提供装置であって、
テレビ放送の視聴を優先する視聴優先モードが実行されている移動体通信端末からの要求に応じて、当該移動体通信端末への音声通話の発呼者に対し、留守番電話サービスを提供するサービス提供手段と、
前記サービス提供手段が提供した留守番電話サービスによって録音された伝言メッセージを文字情報に変換する変換手段と、
前記変換手段によって変換された文字情報を、前記移動体通信網を介して、前記サービスを要求した移動体通信端末に送信する送信手段と、
を備えることを特徴とする。
【００１９】
このような構成によれば、テレビ放送の視聴を優先する視聴優先モードが実行されている移動体通信端末に対する音声通話がある場合に、留守番電話サービスを提供する。この場合において、発呼者の発話に基づく伝言メッセージを文字情報に変換して移動体通信端末に送信するので、テレビ番組を視聴している移動体通信端末で表示させることができる。これにより、視聴を中断させることなく、着信があった旨や伝言メッセージを移動体通信端末のユーザに通知することができる。
【００２０】
上記目的を達成するため、本発明の第３の観点にかかるプログラムは、
テレビ放送視聴機能を有する移動体通信端末を制御するコンピュータに、
テレビ番組を特定するためのキーワードを記憶装置に格納する機能と、
視聴されるテレビ番組の番組情報を取得する機能と、
前記番組情報に前記キーワードが含まれる場合、当該テレビ番組の視聴中における割込動作を禁止する視聴優先モードを選択して実行する機能と、
を実現させることを特徴とする。
【００２１】
このようなプログラムを適用することで、例えば、既存の移動体通信端末などを本発明にかかる移動体通信端末として機能させることができる。
【発明の効果】
【００２２】
本発明によれば、キーワードに基づいてテレビ番組視聴中の割込制御をおこなうので、効果的な割込制御を容易に実現することができる。また、割込制御をおこなっている際に音声通話の着信が発生した場合は、留守番電話機能を実行し、録音された伝言メッセージを文字情報に変換して表示するので、テレビ視聴を中断することなくユーザに通知することができ、利便性が向上する。
【発明を実施するための最良の形態】
【００２３】
（実施形態１）
以下、図面を参照して本発明にかかる実施形態を説明する。まず、本実施形態にかかる移動体通信システムについて図１を参照して説明する。図１は、本実施形態にかかる移動体通信システム１の構成を模式的に示す図である。
【００２４】
図示するように、本実施形態にかかる移動体通信システム１は、移動体通信端末１００を用いた移動体通信を実現するためのシステムであり、移動体通信網１０、交換機２０、基地局３０、サービス提供装置２００、などから構成される。
【００２５】
移動体通信網１０は、移動体通信サービス事業者（キャリア）によって提供される通信ネットワークであり、複数の交換機２０とサービス提供装置２００が接続されている。各交換機２０にはさらに、移動体通信端末１００と無線通信をおこなう基地局３０が複数接続されている。このような接続により、移動体通信端末１００が通信をおこなうための移動体通信システム１が構成されている。本実施形態にかかる移動体通信網１０は、いわゆるセルラー通信を実現するための通信網（セルラー網）であるものとする。
【００２６】
また、本実施形態にかかる移動体通信端末１００は、テレビ放送視聴機能を備えているものとする。移動体通信端末１００で受信されるテレビ放送は、図１に示す放送局ＢＳから放送されるものとする。本実施形態では、モバイル端末用のテレビ放送形態である１セグメント放送によってテレビ番組等が放送局ＢＳから放送される。よって、本実施形態における放送局ＢＳは、地上デジタル放送のテレビ放送局である。
【００２７】
次に、本実施形態にかかる移動体通信端末１００について説明する。本実施形態にかかる移動体通信端末１００は、例えば、携帯電話やＰＨＳ（Personal Handyphone System）などといった移動体通信用の端末装置（電話機）である。本実施形態にかかる移動体通信端末１００は、キャリアが提供する移動体通信網１０を介しておこなう音声通話やデータ通信などの通信機能を基本機能として有する他、上述したようにテレビ放送視聴機能を備えている。本実施形態では、このテレビ放送視聴機能によって、地上デジタルテレビ放送の１形態である１セグメント放送が受信・再生されるものとする。
【００２８】
本実施形態にかかる移動体通信端末１００の構成を、図２を参照して説明する。図２は移動体通信端末１００の構成を示すブロック図である。
【００２９】
図示するように、移動体通信端末１００は、制御部１１０、無線部１２０、操作部１３０、表示部１４０、音声処理部１５０、記憶部１６０、などから構成される。
【００３０】
制御部１１０は、例えば、ＣＰＵ（Central Processing Unit：中央演算処理装置）やワークエリアとなるＲＡＭ（Random Access Memory）などから構成され、所定の動作プログラムを実行することで移動体通信端末１００の各部を制御する。すなわち、移動体通信端末１００の各構成は制御部１１０によって制御されるとともに、各構成間の情報伝達などは制御部１１０を介しておこなわれる。
【００３１】
無線部１２０は、移動体通信端末１００による無線動作をおこなうための装置である。上述したように、本実施形態にかかる移動体通信端末１００は、基本機能である通信機能の他にテレビ放送視聴機能を備えている。これらの機能を実現するため、無線部１２０は、無線通信部１２１と、テレビ放送受信部１２５を備えている。
【００３２】
無線通信部１２１は、例えば、ＣＤＭＡ（Code Division Multiple Access：符号分割多重接続）方式などの通信方式を用いた通信装置などで構成され、当該通信方式に対応したアンテナ１２２による無線送受信をおこなうことで、近傍の基地局３０と無線通信をおこなう。すなわち、無線通信部１２１により、移動体通信網１０への無線アクセスが実現される。
【００３３】
テレビ放送受信部１２５は、例えば、地上デジタル放送用の受信装置などから構成され、放送局ＢＳから１セグメント放送によって送信された放送電波を受信する。テレビ放送受信部１２５は、所定のチューナ回路や復調回路などを含んでおり、１セグメント放送受信用のアンテナ１２６によって受信される放送電波の復号処理などをおこなうことで、移動体通信端末１００のテレビ放送視聴機能が実現される。
【００３４】
操作部１３０は、移動体通信端末１００の外面上に構成されたボタンやキーなどから構成され、移動体通信端末１００のユーザによって操作される。操作部１３０は、各ボタンやキーなどと接続された入力回路などを備え、ユーザの操作に応じた入力信号を生成して制御部１１０に入力する。
【００３５】
表示部１４０は、例えば、液晶表示装置などから構成された表示出力装置であり、制御部１１０の制御によって画像等を表示出力する。
【００３６】
音声処理部１５０は、例えば、音声入出力用のマイクロフォンやスピーカ、および、コーデック回路などから構成され、移動体通信端末１００の通話機能などにかかる音声の処理をおこなう。すなわち、マイクロフォン１５１から入力されたユーザの発話音声をデジタル音声データに変換して無線通信部１２１に送出する送話動作や、無線通信部１２１で受信したデジタル音声データをアナログ音声信号に変換してスピーカ１５２から出力する受話動作などをおこなう。
【００３７】
記憶部１６０は、例えば、フラッシュメモリなどの記憶装置から構成され、制御部１１０が実行する動作プログラムを格納する他、本発明を実現するために必要な種々のデータを格納する。本実施形態では、図２に示すように、放送データ格納領域１６１、キーワード格納領域１６２、プログラム格納領域１６３、などの記憶領域が構成される。
【００３８】
放送データ格納領域１６１は、テレビ放送受信部１２５が受信したテレビ放送データを格納する。上述したように、本実施形態にかかるテレビ放送視聴機能は、デジタル放送である１セグメント放送を受信する。１セグメント放送の場合、通常、MPEG-2システム（ISO/IEC 13818-1）で規定されるトランスポート・ストリーム（Transport Stream：ＴＳ）形式で映像データ、音声データ、付加データが多重化されたパケット（ＴＳパケット）によって放送データが構成されている。本実施形態では、テレビ放送受信部１２５が受信したＴＳパケットに含まれているデータが放送データ格納領域１６１に格納される。
【００３９】
放送データ格納領域１６１に格納される情報の例を図３（ａ）に示す。図示するように、放送データ格納領域１６１には、受信した番組毎に一意に割り当てられる番組ＩＤをキーとしたレコードが作成されており、各レコードには、当該番組の番組名を示す情報や当該番組が属するジャンル名を示す情報などが記録される他、再生する映像や音声の実データなどが格納される。
【００４０】
ここで、番組名やジャンル名を示すデータは、ＴＳパケットに多重化された付加データから取得する。本実施形態では、例えば、番組名やジャンル名、その他番組内容や放送時間などを示すＥＰＧ情報（ＥＰＧ：Electronic Program Guide（電子番組ガイド））が、付加データとしてＴＳパケットに多重化されているものとする。
【００４１】
なお、移動体通信端末１００のテレビ放送視聴機能は、受信したテレビ放送をリアルタイムに再生できることはもとより、録画による再生も可能であるものとする。ここで、リアルタイムに再生する場合、受信した放送データは、例えば、番組放送時間に合わせて一時的に放送データ格納領域１６１に格納されるものとする。また、録画の場合は、受信した放送データは、例えば、所定の消去指示があるまで放送データ格納領域１６１に格納されるものとする。
【００４２】
キーワード格納領域１６２は、移動体通信端末１００のユーザによって指定されるテレビ番組に関するキーワード情報を格納する。キーワード格納領域１６２に格納される情報の例を、図３（ｂ）に示す。図示するように、キーワード格納領域１６２には、キーワードの登録毎に一意に割り当てられるキーワードＩＤをキーとしたレコードが作成されており、各レコードには、ユーザが指定したキーワードとその種別を示す属性情報などが格納される。
【００４３】
本実施形態では、中断されることなく視聴したい番組、すなわち、ユーザにとって重要度や嗜好度の高い番組を特定するためのキーワードが、ユーザによって任意に指定されるものとする。この場合、該当する番組を特定することができる番組名やジャンル名のキーワードを登録する。よって、放送データ格納領域１６１には、「番組名」や「ジャンル名」などといったキーワード種別を示す属性情報がキーワードとともに記録される。本実施形態では、キーワード格納領域１６２に登録されたキーワードに該当する番組を受信・再生している間、再生を中断するような割込動作が禁止される（詳細後述）。
【００４４】
プログラム格納領域１６３は、制御部１１０が実行するプログラムを格納するための領域である。プログラム格納領域１６３には、移動体通信端末１００全体の動作を制御するための基本ソフトウェア（いわゆる、ＯＳ）や、移動体通信端末１００の種々の機能を実現するためのアプリケーションソフトウェアなどが格納される。
【００４５】
本実施形態では、制御部１１０がプログラム格納領域１６３に格納されているプログラムを実行することで、本実施形態にかかる処理を実行するために必要な機能構成が実現される。制御部１１０によって実現される機能構成を図４に示す。図４は、制御部１１０によって実現される機能構成を示す機能ブロック図である。
【００４６】
図示するように、制御部１１０は、受信・再生処理部１１１、キーワード処理部１１２、モード制御部１１３、着信通知処理部１１４、通信制御部１１５、などとして機能する。
【００４７】
受信・再生処理部１１１は、テレビ放送受信部１２５、操作部１３０、表示部１４０、音声処理部１５０、記憶部１６０などと協働し、移動体通信端末１００のテレビ放送視聴機能にかかる放送受信動作や再生動作をおこなう。この場合、受信・再生処理部１１１は、テレビ放送受信部１２５が受信したＴＳパケットから必要な情報を抽出して放送データ格納領域１６１に格納する他、映像データや音声データのデコード処理などをおこなう。
【００４８】
本実施形態では、受信・再生処理部１１１によって、例えば、H.264/AVCなどの画像圧縮符号化方式やMPEG-2 AACなどの音声圧縮符号化方式に対応したデコード動作がおこなわれる。受信・再生処理部１１１によるこのようなデコード動作は、既存のデータ符号化技術に基づいて実現されるものとする。受信・再生処理部１１１は、デコードした映像信号を表示部１４０に送出してテレビ映像を表示出力するとともに、デコードした音声信号を音声処理部１５０に送出してテレビ音声を報音出力する。
【００４９】
キーワード処理部１１２は、操作部１３０、表示部１４０、記憶部１６０などと協働し、ユーザによって指示されたキーワードをキーワード格納領域１６２に格納して登録する他、放送データ格納領域１６１に格納されている番組データとキーワード格納領域１６２に格納されているキーワードとを比較して、受信・再生しているテレビ番組が、ユーザによって登録されたキーワードに該当するものであるか判別する。
【００５０】
モード制御部１１３は、キーワード処理部１１２、受信・再生処理部１１１、記憶部１６０、などとの協働により、テレビ放送の受信・再生にかかる動作モードに関する処理をおこなう。本実施形態では、再生中のテレビ番組が登録されたキーワードに該当する場合、移動体通信端末１００の他の機能などからの割込によって再生が中断されることを禁止するモード（以下、「視聴優先モード」とする）を選択する。この視聴優先モードが選択された場合、例えば、番組の再生中に音声通話の着信などがあっても、再生を中断して音声通話動作に切り替えることなくそのまま再生が続行される。
【００５１】
すなわち、モード制御部１１３は、キーワード格納領域１６２に格納されているキーワードに基づいてテレビ放送視聴機能にかかるモードを選択するとともに、選択したモードに応じて、受信・再生処理部１１１や通信制御部１１５などの動作を制御する。このため、モード毎に規定された制限事項や条件などを示した情報（以下、「モード規定情報」とする）が予め記憶部１６０に格納されているものとし、モード制御部１１３は、モード規定情報にしたがって受信・再生処理部１１１や通信制御部１１５などの動作を制御する。
【００５２】
着信通知処理部１１４は、無線通信部１２１、表示部１４０、などと協働し、視聴優先モード時に発生した音声通話着信を、テレビ番組の視聴が中断されることなくユーザに通知する処理をおこなう。本実施形態では、視聴優先モード時に音声通話の着信があった場合、サービス提供装置２００の留守番電話サービスを利用して、着信があった旨、および、発呼者からの伝言メッセージを通知する。よって、着信通知処理部１１４は、無線通信部１２１を制御することで、留守番電話サービスの開始をサービス提供装置２００に依頼する他、サービス提供装置２００から送信される伝言メッセージの文字データを取得して表示部１４０に表示する。
【００５３】
ここで、視聴優先モードとなっている場合、番組の視聴が中断されるような動作は禁止されているので、着信通知処理部１１４は、再生中の番組画像とともにメッセージが表示されるよう表示部１４０を制御する。なお、本実施形態では、電子メールによって伝言メッセージの文字データがサービス提供装置２００から送信されるものとする。よって、着信通知処理部１１４は、移動体通信端末１００で受信された電子メールのうち、サービス提供装置２００から送信された伝言メッセージの電子メールについて処理をおこなう。
【００５４】
通信制御部１１５は、無線通信部１２１、操作部１３０、表示部１４０、音声処理部１５０、などと協働し、移動体通信端末１００の通信機能にかかる処理をおこなう。すなわち、無線通信部１２１や音声処理部１５０などを制御して、移動体通信網１０を介しておこなわれる音声通話やデータ通信を実行する。本実施形態では、サービス提供装置２００と通信することにより、サービス提供装置２００が提供するサービスにかかる送受信動作などが、通信制御部１１５によっておこなわれるものとする。なお、本実施形態にかかる移動体通信端末１００は、移動体通信網１０を介してのインターネット接続機能および電子メール送受信機能を備えているものとし、これらの機能は通信制御部１１５によって実現されるものとする。
【００５５】
本実施形態では、制御部１１０がプログラムを実行することによって、上記機能構成が論理的に実現されるものとするが、これらの機能を、例えば、ＡＳＩＣ（Application Specific Integrated Circuit：特定用途向け集積回路）などの物理的な構成によって実現してもよい。特に、受信・再生処理部１１１による映像データ及び／又は音声データのデコード機能については、専用回路によるハードウェア処理でおこなってもよい。この場合、音声データのデコードについては音声処理部１５０がおこなうようにしてもよい。
【００５６】
なお、上記各構成は、移動体通信端末１００によって本発明を実現するために必要な主要な構成であり、移動体通信端末として必要なその他の構成については、必要に応じて備えられているものとする。
【００５７】
次に、図１に示すサービス提供装置２００について説明する。本実施形態にかかるサービス提供装置２００は、例えば、移動体通信端末１００が属するキャリアによるサービスを提供する装置である。本実施形態では、視聴優先モードでテレビ放送の再生をおこなっている移動体通信端末１００で音声通話の着信があった場合に、サービス提供装置２００が、当該移動体通信端末１００に留守番電話サービスを提供する。このようなサービスを提供するサービス提供装置２００の構成を、図５を参照して説明する。図５は、サービス提供装置２００の構成を示すブロック図である。
【００５８】
図示するように、サービス提供装置２００は、通信部２１０、留守番電話サービス処理部２２０、端末情報記憶部２３０、音声メッセージ記憶部２４０、文字メッセージ処理部２５０、などから構成される。
【００５９】
通信部２１０は、サービス提供装置２００と移動体通信網１０とを接続し、移動体通信網１０を介した音声通話による通信が可能な通信装置によって構成され、視聴優先モードによって着信が禁止された移動体通信端末１００からの留守番電話サービスの実行要求の受信、当該移動体通信端末１００への発呼元からの音声メッセージの受信、文字データに変換した留守番電話メッセージの移動体通信端末１００への送信、などをおこなう。
【００６０】
留守番電話サービス処理部２２０は、視聴優先モードによって着信が禁止された移動体通信端末１００からの要求に応じて留守番電話サービスを提供する。この留守番電話サービスは、移動体通信キャリアが一般的に提供している留守番電話サービスと基本的には同様である。本実施形態では、視聴優先モードによって着信が禁止された移動体通信端末１００に音声通話を発呼した発呼元と接続し、当該発呼元から入力される音声メッセージを録音する。この場合、留守番電話サービス処理部２２０は、発呼元に対して、留守番電話サービスにかかる音声ガイダンスを再生する。このような動作は、既存の留守番電話サービスで用いられている技術によって実現されるものとする。
【００６１】
端末情報記憶部２３０は、例えば、ハードディスク装置などの記憶装置から構成され、視聴優先モード時の着信にかかる留守番電話サービスを利用する移動体通信端末１００を特定する情報を蓄積する。ここでは、サービスを利用する移動体通信端末１００の自局電話番号と、当該移動体通信端末１００で受信可能な電子メールアドレスとを対応づけて蓄積する。端末情報記憶部２３０に蓄積される情報は、例えば、サービスの利用を所望する移動体通信端末１００からのアクセスによってサービス提供装置２００に入力されたり、サービス利用の契約時にキャリアによって入力されたりすることで登録されるものとする。
【００６２】
音声メッセージ記憶部２４０は、留守番電話サービス処理部２２０によって提供される留守番電話サービスで録音される音声メッセージを記録する。本実施形態では、発呼元から入力される音声をデジタルデータで録音するものとする。よって、音声メッセージ記憶部２４０は、例えば、ハードディスク装置などの記憶装置から構成される。ここでは、留守番電話サービスの提供を要求した移動体通信端末１００から通知される自局番号をキーとしたレコードが作成されており、各レコードには、その留守番電話サービスで録音された発呼元からの伝言メッセージの音声データが格納される。また、音声メッセージ記憶部２４０には、留守番電話サービス処理部２２０が再生する音声ガイダンスの音声データなども格納されているものとする。
【００６３】
文字メッセージ処理部２５０は、音声メッセージ記憶部２４０に録音（格納）されている音声メッセージを文字情報に変換して、要求元の移動体通信端末１００に送信する。この場合、文字メッセージ処理部２５０は、録音された音声メッセージを再生して音声認識をおこなう。すなわち、文字メッセージ処理部２５０は、デジタル音声データをアナログ信号に変換するデコード機能、デコードされたアナログ信号で音声を再生する機能、再生した音声を音声認識する機能、音声認識の結果を文字情報として再構成する機能、などを備えている。これらの機能は、既存の技術を用いた構成によって実現されるものとする。
【００６４】
文字メッセージ処理部２５０はまた、通信部２１０との協働により、文字情報に変換したメッセージを要求元の移動体通信端末１００に送信する。この場合、文字メッセージ処理部２５０は、音声メッセージ記憶部２４０に格納されているアドレス情報に基づいて移動体通信端末１００に送信する。この場合、文字メッセージ処理部２５０は、例えば、視聴優先モードにより実行された留守番電話サービスであることを示す識別情報を付加したメッセージデータを送信する。本実施形態では、電子メールによってメッセージデータを移動体通信端末１００に送信するものとする。すなわち、サービス提供装置２００は、移動体通信網１０を介した電子メール送信機能を備えており、この機能は文字メッセージ処理部２５０の動作によって実現される。
【００６５】
以上のような構成を有する移動体通信システム１の動作を以下説明する。まず、移動体通信端末１００のテレビ放送視聴機能によって受信されたテレビ番組を再生する際に実行する「番組視聴処理（１）」を、図６に示すフローチャートを参照して説明する。この番組視聴処理（１）は、ユーザが操作部１３０を操作することで、テレビ放送視聴機能の実行が指示されたことを契機に開始される。
【００６６】
処理が開始されると、受信・再生処理部１１１は、テレビ放送受信部１２５を制御し、テレビ放送の受信動作を開始する（ステップＳ１０１）。ここでは、操作部１３０を用いたユーザ操作によって指示されたチャンネルの選局動作などがテレビ放送受信部１２５によっておこなわれ、該当するチャンネルで放送されている放送データを受信する。
【００６７】
受信・再生処理部１１１は、テレビ放送受信部１２５による受信開始に応じて、放送データ格納領域１６１に新規レコードを作成し、受信した放送データを格納する（ステップＳ１０２）。ここでは、受信した放送データを構成するＴＳパケットから、番組名とジャンル名を示す情報（番組情報）を取得して、作成したレコードに記録するほか、順次受信される映像データと音声データ（ペイロード）を順次格納する。
【００６８】
受信・再生処理部１１１は、ステップＳ１０２で放送データ格納領域１６１に格納した番組名とジャンル名（番組情報）をキーワード処理部１１２に通知する。キーワード処理部１１２は、受信・再生処理部１１１からの通知に応じてキーワード格納領域１６２にアクセスし、通知された番組名またはジャンル名（番組情報）に、登録されているキーワードが含まれているか否かを判別する（ステップＳ１０３）。
【００６９】
通知された番組名またはジャンル名がキーワードとして登録されている場合（ステップＳ１０３：Ｙｅｓ）、キーワード処理部１１２はその旨をモード制御部１１３に通知する。モード制御部１１３は、キーワード処理部１１２からの通知に応じて、ステップＳ１０１で受信開始したテレビ番組に対する動作モードとして「視聴優先モード」を選択する（ステップＳ１０４）。この場合、例えば、記憶部１６０などにいずれの動作モードが選択されているかを示すフラグを設け、視聴優先モードに対応するフラグをオンする。
【００７０】
一方、通知された番組名またはジャンル名がキーワードとして登録されていない場合（ステップＳ１０３：Ｎｏ）は、視聴優先モードを選択しない。
【００７１】
このようにして動作モードの選択がおこなわれると、モード制御部１１３は、その旨を受信・再生処理部１１１に通知する。受信・再生処理部１１１は、モード制御部１１３からの通知に応じて、放送データ格納領域１６１に格納した映像データと音声データを順次デコードし、表示部１４０および音声処理部１５０から出力することで、受信しているテレビ番組を再生して出力する（ステップＳ１０５）。
【００７２】
このように開始されたテレビ番組の再生は、例えば、ユーザが操作部１３０を操作することで入力する終了指示（テレビ受信アプリケーションの終了や移動体通信端末１００の電源オフなど）があるまで実行される（ステップＳ１１１：Ｎｏ）。このようにしてテレビ番組を再生している間に、他の機能が起動するようなイベント（割込イベント）が発生すると（ステップＳ１０６：Ｙｅｓ）、モード制御部１１３は、現在設定されている動作モードが「視聴優先モード」であるか否かを判別する（ステップＳ１０７）。
【００７３】
ここで、現在の動作モードが「視聴優先モード」ではない場合（ステップＳ１０７：Ｎｏ）、モード制御部１１３は、発生したイベントの割込処理を許可する。この場合、モード制御部１１３は、受信・再生処理部１１１に、テレビ番組の再生を中断させ、発生した割込イベントの動作に切り替える（ステップＳ１０８）。
【００７４】
一方、現在の動作モードが「視聴優先モード」である場合（ステップＳ１０７：Ｙｅｓ）、モード制御部１１３は、発生したイベントが特定のイベントであるか否かを判別する。本実施形態では、音声通話による着信であるか否かを判別する（ステップＳ１０９）。ここで、移動体通信端末１００に音声通話の着信があった場合、通信制御部１１５によってその旨がモード制御部１１３に通知され、この通知に基づいて、モード制御部１１３は、発生したイベントが音声通話の着信であるか否かを判別する。
【００７５】
発生したイベントが音声通話の着信でない場合（ステップＳ１０９：Ｎｏ）、モード制御部１１３は、視聴優先モード下での当該イベントによる割込を禁止する。すなわち、ステップＳ１０５の再生動作が継続される。
【００７６】
一方、発生したイベントが音声通話の着信である場合（ステップＳ１０９：Ｙｅｓ）、モード制御部１１３は、着信通知処理部１１４にその旨を通知する。モード制御部１１３からの通知に応じて、着信通知処理部１１４は、サービス提供装置２００による留守番電話サービスへの接続を要求する（ステップＳ１１０）。この場合、着信通知処理部１１４は、視聴優先モードにかかる留守番電話サービスの要求であることを示すコードなどを、着信要求を送信した発呼元と移動体通信端末１００との接続をおこなっている交換機２０に返信することで、サービス提供装置２００による留守番電話サービスへの接続を要求する。
【００７７】
サービス提供装置２００が提供する留守番電話サービスへの接続を要求すると、着信通知処理部１１４は、当該留守番電話サービスで録音された伝言メッセージをユーザに通知するための「着信通知処理」を実行する（ステップＳ２００）。この着信通知処理の詳細は後述する。
【００７８】
ユーザによる操作部１３０の操作、もしくは、再生している番組の放送時間終了などによってテレビ放送の再生終了が指示されると（ステップＳ１１１：Ｙｅｓ）、受信・再生処理部１１１は、実行しているテレビ放送の受信・再生動作を終了する（ステップＳ１１２）。
【００７９】
受信・再生動作を終了すると、受信・再生処理部１１１は、その旨をモード制御部１１３に通知する。モード制御部１１３は、受信・再生処理部１１１からの通知に応じて、現在設定している動作モードが視聴優先モードであるか否かを判別する（ステップＳ１１３）。視聴優先モードである場合（ステップＳ１１３：Ｙｅｓ）、モード制御部１１３は、視聴優先モードを解除して（ステップＳ１１４）、番組視聴処理（１）を終了する。すなわち、登録されたキーワードに該当する番組を再生している間のみ視聴優先モードが選択されることになる。
【００８０】
一方、動作モードが視聴優先モードではない場合（ステップＳ１１３：Ｎｏ）は、そのまま処理を終了する。
【００８１】
次に、上記番組視聴処理（１）において、視聴優先モード下で音声通話の着信があった場合に実行される「着信通知処理」を図７に示すフローチャートを参照して説明する。
【００８２】
この場合、ステップＳ１１０における移動体通信端末１００からの要求に応じて、交換機２０は、発呼元との接続を維持したままサービス提供装置２００に接続し、留守番電話サービスの開始をサービス提供装置２００に要求する。このとき、交換機２０は、発呼元からの着信要求が示す移動体通信端末１００の電話番号をサービス提供装置２００に通知する。
【００８３】
サービス提供装置２００が留守番電話サービスを開始すると、交換機２０によって発呼元とサービス提供装置２００とが接続され音声通話チャンネルが確立する。これにより、発呼者の発話音声がサービス提供装置２００に伝送され、伝言メッセージとしてサービス提供装置２００に録音される。このときのサービス提供装置２００の動作の詳細は後述する。
【００８４】
発呼者による伝言メッセージの録音が終了すると、サービス提供装置２００は、録音した音声メッセージを文字情報に変換して移動体通信端末１００に送信する（詳細後述）。ここでは、変換された文字データを含んだ電子メールが、移動体通信網１０を介して移動体通信端末１００に送信される。この電子メールには、視聴優先モード時におこなう留守番電話サービスであることを示す所定の識別情報が、例えば、ヘッダ情報として付加される。
【００８５】
移動体通信端末１００では、サービス提供装置２００が送信した電子メールを無線通信部１２１が受信すると（ステップＳ２０１：Ｙｅｓ）、制御部１１０に入力する。着信通知処理部１１４は、入力された電子メールのヘッダ情報を参照し、受信した電子メールが、サービス提供装置２００の留守番電話サービスによるものであるか否かを判別する（ステップＳ２０２）。なお、このような電子メールの種別を示す識別情報は、例えば、記憶部１６０などに予め格納されているものとし、着信通知処理部１１４は、このように格納されている識別情報と受信した電子メールの識別情報とを参照することで、サービス提供装置２００の留守番電話サービスによる電子メールであるか否かを判別する。
【００８６】
ここで、受信した電子メールが、サービス提供装置２００の留守番電話サービスによるものではない場合（ステップＳ２０２：Ｎｏ）、視聴優先モード下では着信通知をおこなわない。よって、なにもおこなわずに、図６に示す番組視聴処理（１）のフローに戻る。
【００８７】
一方、受信した電子メールが、サービス提供装置２００の留守番電話サービスによるものである場合（ステップＳ２０２：Ｙｅｓ）、着信通知処理部１１４は、受信した電子メールの本文を構成している文字情報を抽出する（ステップＳ２０３）。サービス提供装置２００が送信する電子メールの本文は、留守番電話サービスで録音された伝言メッセージを文字情報に変換したものであるから、着信通知処理部１１４は、発呼者からの伝言メッセージを示す文字情報を取得することになる。この文字情報には、伝言メッセージの他に、着信日時や発呼元の発信者電話番号なども含まれているものとする。
【００８８】
着信通知処理部１１４は、表示部１４０を制御し、ステップＳ２０３で取得した文字情報を表示部１４０に表示する（ステップＳ２０４）。この場合、表示部１４０では、テレビ番組の映像が表示されているので、例えば、図９（ａ）に示すように、映像表示枠の外にメッセージを表示することで、テレビ映像と同時にメッセージを表示することができる。伝言メッセージの表示形態は任意であり、例えば、図９（ｂ）に示すように、表示されているテレビ番組の映像に重ねてメッセージを表示してもよい。この表示形態は、例えば、テレビ放送に付随するデータ放送などを表示しているなどにより、映像表示枠外にメッセージを表示する領域がない場合であっても、テレビ映像と同時にメッセージを表示することができる。なお、発信者電話番号が、例えば、移動体通信端末１００のアドレス帳に登録されている場合、着信通知処理部１１４は、発信者電話番号に代えて、発呼者の氏名等を表示するようにしてもよい。
【００８９】
このような表示形式であれば、テレビ番組の再生を中断せずに、発呼元からの伝言メッセージを表示することができる。これにより、テレビ番組の再生中に音声通話の着信があったことをユーザに通知できる他、発呼者が伝言メッセージを録音した場合には、その内容を文字情報によってユーザに通知することができる。文字情報として出力することで、テレビ番組の視聴を妨げることなく、ユーザへの通知をおこなうことができる。
【００９０】
このようにして、伝言メッセージを表示部１４０に表示すると、図６に示す番組視聴処理（１）のフローチャートに戻る。すなわち、テレビ番組再生中に、同様の着信が発生した場合には、再度着信通知処理が実行され、伝言メッセージの表示が随時おこなわれることになる。
【００９１】
次に、上記着信通知処理において、移動体通信端末１００から留守番電話サービスを要求されたサービス提供装置２００の動作を以下説明する。ここでは、移動体通信端末１００からの要求に応じて実行される「留守番電話サービス処理」を、図８に示すフローチャートを参照して説明する。この留守番電話サービス処理は、交換機２０を介した移動体通信端末１００からの開始要求を通信部２１０が受信したことを契機に開始される。この場合、移動体通信端末１００に発呼した発呼元の端末とサービス提供装置２００とが交換機２０を介して接続され、音声通話チャンネルが確立する。
【００９２】
処理が開始されると、留守番電話サービス処理部２２０は、交換機２０から通知された移動体通信端末１００の電話番号情報に基づいて、当該電話番号をキーとするレコードを音声メッセージ記憶部２４０に作成する（ステップＳ３０１）。
【００９３】
次に、留守番電話サービス処理部２２０は、留守番電話サービスを案内する音声ガイダンスを再生する（ステップＳ３０２）。この場合、確立した音声通話チャンネルによって音声ガイダンスが発呼元端末に伝送される。これにより、発呼元端末において、音声ガイダンスが報音される。
【００９４】
発呼者は、移動体通信端末１００のユーザへの伝言がある場合は、音声ガイダンスに従って伝言を発話する。発呼者による発話音声は、音声通話チャンネルによってサービス提供装置２００に伝送される。
【００９５】
この場合、留守番電話サービス処理部２２０は、通信部２１０を介して入力された発話音声をデジタルデータに変換し、ステップＳ３０１で音声メッセージ記憶部２４０に作成したレコードに格納することで録音する（ステップＳ３０３）。
【００９６】
ここで、例えば、予め設定されている録音時間が経過するなどによって録音終了となると（ステップＳ３０４：Ｙｅｓ）、通信部２１０は、発呼元端末との音声通話チャンネルの切断を交換機２０に要求する。これにより、サービス提供装置２００と発呼元端末との接続が切断される（ステップＳ３０５）。
【００９７】
発呼元との音声通話チャンネルが切断されると、留守番電話サービス処理部２２０は、ステップＳ３０１で作成したレコードのキーとした移動体通信端末１００の電話番号を文字メッセージ処理部２５０に通知する。留守番電話サービス処理部２２０からの通知に応じて、文字メッセージ処理部２５０は、端末情報記憶部２３０にアクセスし、通知された電話番号に対応する電子メールアドレスを取得し、当該電子メールアドレスを宛先とした電子メールを作成する。すなわち、留守番電話サービスを要求した移動体通信端末１００を宛先とする電子メールを作成する（ステップＳ３０６）。
【００９８】
次に文字メッセージ処理部２５０は、音声メッセージ記憶部２４０にアクセスし、通知された電話番号に対応する伝言メッセージの音声データを取得して再生し、音声認識処理によって順次文字データに変換する（ステップＳ３０７）。
【００９９】
文字メッセージ処理部２５０は、変換した文字データを、ステップＳ３０６で作成した電子メールの本文として挿入するとともに、視聴優先モード時におこなう留守番電話サービスであることを示す所定の識別情報をヘッダとして付加する。このとき、文字メッセージ処理部２５０は、当該伝言メッセージを録音した日時や発呼元の発信者電話番号を示す文字情報も本文に含める。文字メッセージ処理部２５０は、このようにして伝言メッセージを通知するための電子メールを作成すると、通信部２１０を介して移動体通信端末１００に送信し（ステップＳ３０８）、処理を終了する。
【０１００】
以上説明したように、上記実施形態によれば、視聴を中断されたくない番組の番組名やジャンル名のキーワードを予め登録しておくことで、キーワードに該当する番組の再生時に、視聴優先モードが自動的に選択される。この場合、番組再生時の割込処理が禁止され、他のイベントが発生しても再生が中断されずに継続される。ここで、発生したイベントが音声通話の着信である場合には、番組再生のバックグラウンドで、サービス提供装置２００での留守番電話サービスが自動的に要求される。この場合、発呼者の伝言がサービス提供装置２００に録音される。サービス提供装置２００は、録音された伝言音声を文字データに変換して移動体通信端末１００に送信するので、移動体通信端末１００では、番組再生とともにメッセージを表示してユーザに通知することができる。
【０１０１】
（実施形態２）
上記実施形態１では、予め登録されたキーワードに基づいて視聴優先モードが実行されたが、番組視聴中に視聴優先モードの設定または解除をおこなえるようにしてもよい。この場合を実施形態２として以下説明する。なお、移動体通信端末１００およびサービス提供装置２００をはじめとする移動体通信システム１の各構成は実施形態１の場合と同様である。よって、同一の構成については、実施形態１の場合と同一の参照符号を用いる。
【０１０２】
本実施形態において移動体通信端末１００が実行する「番組視聴処理（２）」を、図１０に示すフローチャートを参照して説明する。この番組視聴処理（２）は、ユーザが操作部１３０を操作することで、テレビ放送視聴機能の実行が指示されたことを契機に開始される。
【０１０３】
処理が開始されると、図６に示す番組視聴処理（１）におけるステップＳ１０１〜ステップＳ１０４の処理と同一の処理がおこなわれる（ステップＳ４０１）。すなわち、受信した番組の番組名やジャンル名と予め登録されたキーワードに基づいて動作モードが選択される。
【０１０４】
そして、選択された動作モード下で、受信・再生処理部１１１によってテレビ番組の受信・再生がおこなわれる（ステップＳ４０２）。本実施形態では、視聴優先モードである場合、例えば、図１２（ａ）に示すように、テレビ映像表示画面上に「視聴優先モード解除」ボタンが表示され、視聴優先モード以外の動作モードである場合は、図１２（ｂ）に示すような「視聴優先モード設定」ボタンがテレビ映像表示画面上に表示されるものとする。
【０１０５】
例えば、予め登録したキーワードに該当するテレビ番組であるため、再生時に視聴優先モードが設定されたが、それを解除したい場合、ユーザは操作部１３０を操作することで「視聴優先モード解除」ボタンを選択する。反対に、登録したキーワードに該当する番組ではないため、視聴優先モードが設定されなかったが、割込によって中断されたくない場合は、操作部１３０を操作することで「視聴優先モード設定」ボタンを選択する。操作部１３０は、ユーザによる操作に応じて、いずれかのボタン（以下、「モード指示ボタン」とする）が選択されたかを示す入力信号を制御部１１０に入力する。
【０１０６】
このような入力信号に基づき、モード制御部１１３は、モード指示ボタンが選択されたか否かを判別する（ステップＳ４０３）。ここで、モード指示ボタンの選択がおこなわれない場合（ステップＳ４０３：Ｎｏ）は、ステップＳ４０４に進み、図６に示した番組視聴処理（１）のステップＳ１０５〜ステップＳ１１０およびステップＳ２００の処理がおこなわれる。ステップＳ４０４以降の処理の詳細は後述する。
【０１０７】
一方、いずれかのモード指示ボタンが選択された場合（ステップＳ４０３：Ｙｅｓ）、モード制御部１１３は、視聴優先モードの設定／解除をおこなうための「視聴優先モード設定／解除処理」を実行する（ステップＳ５００）。この視聴優先モード設定／解除処理を、図１１に示すフローチャートを参照して説明する。
【０１０８】
処理が開始されると、モード制御部１１３は、選択されたモード指示ボタンが視聴優先モード設定ボタン（設定ボタン）であるか否かを判別する（ステップＳ５０１）。ここで、視聴優先モード設定ボタンが表示されるのは、視聴優先モード以外のモードが選択されているときであるので、視聴優先モード設定ボタンが選択された場合（ステップＳ５０１：Ｙｅｓ）、モード制御部１１３は、動作モードを視聴優先モードに切り替える（ステップＳ５０２）。
【０１０９】
この場合、モード制御部１１３は、現在再生しているテレビ番組の番組名をキーワードとして登録するようキーワード処理部１１２に指示する。キーワード処理部１１２は、モード制御部１１３からの指示に応じて、まず、登録するキーワード種別をユーザに問い合わせるための「キーワード種別確認画面」を表示部１４０に表示する（ステップＳ５０３）。このキーワード種別確認画面の表示例を図１３（ａ）に示す。
【０１１０】
本実施形態では、テレビ番組の番組名またはジャンル名のキーワードを登録するので、キーワード種別確認画面では、図１３（ａ）に示すように、登録するキーワードの種別として、「番組名」及び／又は「ジャンル名」が選択可能に表示される。
【０１１１】
ユーザは、操作部１３０を操作し、所望するキーワード種別を選択すると、その旨を示す入力信号が、操作部１３０から制御部１１０に入力される。操作部１３０からの入力に応じて、キーワード処理部１１２は、キーワード種別が選択されたと判別する（ステップＳ５０４：Ｙｅｓ）。この場合、キーワード処理部１１２は、放送データ格納領域１６１にアクセスし、現在再生している番組のレコード、すなわち、視聴中の番組についての番組情報から、選択されたキーワード種別に該当するキーワードを取得する（ステップＳ５０５）。キーワード処理部１１２はさらに、キーワード格納領域１６２にアクセスして新規レコードを作成し、ステップＳ５０５で取得した番組名をキーワードとして追加登録する（ステップＳ５０６）。
【０１１２】
一方、選択されたモード指示ボタンが、視聴優先モード解除ボタン（解除ボタン）である場合（ステップＳ５０１：Ｎｏ、ステップＳ５０７：Ｙｅｓ）、視聴優先モードが現在選択されているので、モード制御部１１３は、該当するキーワードの登録を解除するようキーワード処理部１１２に指示する。キーワード処理部１１２は、モード制御部１１３からの指示に応じて、放送データ格納領域１６１とキーワード格納領域１６２にアクセスし、現在再生している番組に該当するキーワードがいずれであるかを検索する。
【０１１３】
ここで、該当するキーワードのキーワード種別が「ジャンル名」である場合（ステップＳ５０８：Ｙｅｓ）、キーワード処理部１１２は、当該ジャンル名の登録を解除してよいかをユーザに問い合わせるための「解除確認画面」を表示部１４０に表示する（ステップＳ５０９）。この解除確認画面の表示例を図１３（ｂ）に示す。
【０１１４】
図示するように、解除確認画面には、現在有効となっている視聴優先モードのキーワードとしてジャンル名が登録されている旨や現在視聴中の番組と同一ジャンルのほかの番組についても視聴優先モードを解除するか否かを問い合わせるメッセージが表示される。また、解除確認画面には、ユーザが選択可能なボタンとして、「他の番組も解除」および「この番組のみ解除」が表示される。すなわち、ジャンル名がキーワードとして登録されている場合、現在再生している番組以外にも影響するため、該当するキーワードの種別がジャンル名の場合は、当該キーワードを削除してもよいかユーザに問い合わせる。
【０１１５】
ユーザは、操作部１３０を操作し、当該ジャンル名のキーワードが削除されてもよい場合は「他の番組も解除」ボタンを選択し、削除されることを希望しない場合は「この番組のみ解除」ボタンを選択する。そして、このようなユーザ操作に応じた入力信号が、操作部１３０から制御部１１０に入力される。
【０１１６】
キーワード処理部１１２は、操作部１３０からの入力信号に基づいて、ジャンル名のキーワードの削除が、ユーザから指示されたか否かを判別する（ステップＳ５１０）。
【０１１７】
ユーザが「この番組のみ解除」ボタンを選択した場合、キーワード処理部１１２は、キーワードの削除が指示されていないと判別する（ステップＳ５１０：Ｎｏ）、この場合、キーワード処理部１１２は、その旨をモード制御部１１３に通知する。モード制御部１１３は、キーワード処理部１１２からの通知に応じて、視聴優先モードを解除する（ステップＳ５１２）。
【０１１８】
一方、キーワードの削除がユーザから指示された場合（ステップＳ５１０：Ｙｅｓ）、キーワード処理部１１２は、キーワード格納領域１６２にアクセスし、該当するキーワードが登録されているレコードを検索して削除する（ステップＳ５１１）。この場合、現在再生している番組のジャンル名が登録されているレコードを削除することになる。
【０１１９】
一方、該当するキーワードが番組名の場合（ステップＳ５０８：Ｎｏ）、当該キーワードを削除しても、現在再生している番組のみについて視聴優先モードが解除されることになるので、他の番組には影響しない。よって、キーワード処理部１１２は、ユーザに問い合わせることなく、キーワード格納領域１６２から該当する番組名が登録されているレコードを削除する（ステップＳ５１１）。
【０１２０】
キーワード処理部１１２は、このようにしてキーワードを削除すると、その旨をモード制御部１１３に通知する。モード制御部１１３は、キーワード処理部１１２からの通知に応じて、視聴優先モードを解除する（ステップＳ５１２）。
【０１２１】
このようにして、視聴優先モードの設定もしくは解除がおこなわれると、図１０に示す番組視聴処理（２）のフローに戻る。
【０１２２】
番組視聴処理（２）では、図６に示す番組視聴処理（１）におけるステップＳ１０５〜ステップＳ１１０とステップＳ２００の着信通知処理が実行される（ステップＳ４０４）。この場合、上記視聴優先モード設定／解除処理によって設定された動作モード下で、再生終了となるまで番組の再生がおこなわれる（ステップＳ４０５：Ｎｏ）。ここで、視聴優先モードが設定された場合には、音声通話の着信時に着信通知処理（図７）が実行され、視聴優先モードが解除された場合には、イベントの発生時に番組再生を中断して割込処理がおこなわれる。また、着信通知処理がおこなわれた場合は、実施形態１と同様、サービス提供装置２００で留守番電話サービス処理が実行される。これにより、発呼者の伝言メッセージが文字情報としてテレビ番組画面上に表示される。
【０１２３】
そして、ユーザによる操作部１３０の操作、もしくは、再生している番組の放送時間終了などによってテレビ放送の再生終了が指示されると（ステップＳ４０５：Ｙｅｓ）、受信・再生処理部１１１は、実行しているテレビ放送の受信・再生動作を終了する（ステップＳ４０６）。
【０１２４】
受信・再生動作を終了すると、受信・再生処理部１１１は、その旨をモード制御部１１３に通知する。モード制御部１１３は、受信・再生処理部１１１からの通知に応じて、現在設定している動作モードが視聴優先モードであるか否かを判別する（ステップＳ４０７）。視聴優先モードである場合（ステップＳ４０７：Ｙｅｓ）、モード制御部１１３は、視聴優先モードを解除して（ステップＳ４０８）、番組視聴処理（２）を終了する。すなわち、登録されたキーワードに該当する番組を再生している間のみ視聴優先モードが選択されることになる。
【０１２５】
一方、動作モードが視聴優先モードではない場合（ステップＳ４０７：Ｎｏ）は、そのまま処理を終了する。
【０１２６】
以上説明したように、実施形態２によれば、テレビ番組の視聴中に、任意で視聴優先モードの設定もしくは解除をおこなうことができる。この場合において、視聴優先モードの設定指示があると、視聴中の番組の番組名やジャンル名がキーワード格納領域１６２に自動的に登録されるので、同じ番組名やジャンルの番組を以後視聴時に、ユーザが毎回キーワード登録をおこなうことなく、視聴優先モードが自動的に選択されることになる。これにより、例えば、連続ドラマなどといった、同一の番組名によって複数回放送される番組については、例えば、初回視聴時に視聴優先モードを設定するだけで、次回以降の放送も自動的に視聴優先モードとなる。反対に、一度視聴優先モードを解除すれば、同一のキーワードの放送については、以後視聴優先モードとはならない。
【０１２７】
以上説明したように、本発明を上記実施形態の如く適用することで、割込動作の禁止を所望する番組を特定する番組名やジャンル名をキーワードとして登録することで、当該キーワードに該当する番組の視聴時に自動的に視聴優先モードが実行されるので、ユーザが所望する番組の視聴時のみ割込を禁止する効果的な割込制御を実現することができる。
【０１２８】
また、テレビ番組の視聴中におけるユーザ操作によって、視聴優先モードの設定または解除をおこなうことができる。視聴優先モードを設定する場合、ＥＰＧ情報などといった、当該番組の番組情報に基づいてキーワードが自動的に登録される。反対に、視聴優先モードを解除する場合、登録されているキーワードが自動的に削除されるので、効果的な割込制御を容易に実現することができる。
【０１２９】
そして、割込を禁止している場合であっても、音声通話の着信時には、留守番電話サービスに自動的に接続され、文字情報に変換された伝言メッセージが、視聴中のテレビ番組とともに表示画面に表示されるので、テレビ番組の視聴が中断されることなく、音声通話の着信があった旨や発呼者の伝言をユーザに通知することができる。すなわち、割込制御をおこなっている場合の利便性を向上させることができる。
【０１３０】
上記実施形態は一例であり、本発明の適用範囲はこれに限られない。すなわち、種々の応用が可能であり、あらゆる実施の形態が本発明の範囲に含まれる。
【０１３１】
例えば、上記実施形態では、留守番電話サービスをサービス提供装置２００がおこなうものとしたが、例えば、移動体通信端末１００に伝言録音機能がある場合、発呼者の伝言の録音や録音された音声の文字情報への変換を移動体通信端末１００がおこなってもよい。この場合、移動体通信端末１００には、サービス提供装置２００と同様の音声データを文字情報に変換する機能が、例えば、制御部１１０がプログラムを実行することで実現されるものとする。この場合、例えば、音声処理部１５０によって再生される発呼者が発話音声を順次文字情報に変換することができる。
【０１３２】
上記実施形態では、視聴優先モードを実行する番組を特定するためのキーワードとして、番組名とジャンル名を例示したが、ＥＰＧデータなどから取得できるものであれば、キーワードの種別はこれに限られず任意である。例えば、出演者名などをキーワードとして用いてもよい。
【０１３３】
また、上記実施形態では、サービス提供装置２００から移動体通信端末１００への通知を電子メールとしたが、伝言メッセージの文字データを送信できるのであれば、その形態は電子メールに限らず任意である。さらに、伝言メッセージを直接移動体通信端末１００に送信しなくてもよい。例えば、サービス提供装置２００において、伝言メッセージを示したウェブサイトを用意することで伝言メッセージを移動体通信端末１００のユーザに通知することもできる。
【０１３４】
この場合、当該ウェブサイトにアクセスするためのアドレス情報（例えば、ＵＲＬ（Uniform Resource Locator））を移動体通信端末１００に通知し、移動体通信端末１００は、番組再生動作のバックグラウンドで当該ウェブサイトにアクセスする。ここで、当該ウェブサイトを、例えば、ＢＭＬ（Broadcast Markup Language：放送用マークアップ言語）で記述しておくことで、再生中のテレビ番組に付随するデータ放送の形態で伝言メッセージを表示させることができる。この場合も、再生動作を中断することなく伝言メッセージの表示をおこなうことができる。
【０１３５】
なお、上述した移動体通信端末１００のように、本発明を実現するための機能を予め備えている移動体通信端末として提供できることはもとより、これらの機能を備えていない既存の移動体通信端末などにプログラムを適用することで、本発明にかかる移動体通信端末として機能させることもできる。この場合、移動体通信端末に、上述した移動体通信端末１００の各処理を実行させるためのプログラムを適用し、当該移動体通信端末を制御するコンピュータ（ＣＰＵなど）がそのプログラムを実行することで、本発明にかかる端末装置として機能させることができる。
【０１３６】
このようなプログラムの適用方法は任意であり、例えば、インターネットなどの通信媒体を介して提供することで任意の装置に適用できる他、所定の記録媒体（例えば、メモリカード、ＣＤ−ＲＯＭ、ＤＶＤ、など）にプログラムを格納して配布することでも適用可能である。
【図面の簡単な説明】
【０１３７】
【図１】本発明の実施形態にかかる移動体通信システムの構成を示す図である。
【図２】図１に示す移動体通信端末の構成を示すブロック図である。
【図３】図２に示す記憶部に格納される情報の例を示す図であり、（ａ）は放送データ格納領域に格納される情報の例を示し、（ｂ）はキーワード格納領域に格納される情報の例を示す。
【図４】図２に示す制御部によって実現される機能構成を示す機能ブロック図である。
【図５】図１に示すサービス提供装置の構成を示すブロック図である。
【図６】本発明の実施形態１にかかる「番組視聴処理（１）」を説明するためのフローチャートである。
【図７】図６に示す番組視聴処理（１）で実行される「着信通知処理」を説明するためのフローチャートである。
【図８】本発明の実施形態１にかかる「留守番電話サービス処理」を説明するためのフローチャートである。
【図９】図７に示す着信通知処理における移動体通信端末での画面表示例を示す図であり、（ａ）はテレビ映像表示枠外に伝言メッセージを表示する場合の表示例を示し、（ｂ）はテレビ映像表示枠内に伝言メッセージを表示する場合の表示例を示す。
【図１０】本発明の実施形態２にかかる「番組視聴処理（２）」を説明するためのフローチャートである。
【図１１】図１０に示す番組視聴処理（２）で実行される「視聴優先モード設定／解除処理」を説明するためのフローチャートである。
【図１２】図１０に示す番組視聴処理（２）における移動体通信端末での画面表示例を示す図であり、（ａ）は視聴優先モードが実行されている場合の画面表示例を示し、（ｂ）は視聴優先モードが実行されていない場合の画面表示例を示す。
【図１３】図１１に示す視聴優先モード設定／解除処理における移動体通信端末での画面表示例を示す図であり、（ａ）は「キーワード種別確認画面」の表示例を示し、（ｂ）は「解除確認画面」の表示例を示す。
【符号の説明】
【０１３８】
１…移動体通信システム、１０…移動体通信網、２０…交換機、３０…基地局、１００…移動体通信端末、１１０…制御部、１１１…受信・再生処理部、１１２…キーワード処理部、１１３…モード制御部、１１４…着信通知処理部、１２０…無線部、１２１…無線通信部、１２２…アンテナ、１２５…テレビ放送受信部、１２６…アンテナ、１３０…操作部、１４０…表示部、１５０…音声処理部、１５１…マイクロフォン、１５２…スピーカ、１６０…記憶部、１６１…放送データ格納領域、１６２…キーワード格納領域、１６３…プログラム格納領域、２００…サービス提供装置、２１０…通信部、２２０…留守番電話サービス処理部、２３０…端末情報記憶部、２４０…音声メッセージ記憶部、２５０…文字メッセージ処理部
【図１】
2007221477.tif 000003
【図２】
2007221477.tif 000004
【図３】
2007221477.tif 000005
【図４】
2007221477.tif 000006
【図５】
2007221477.tif 000007
【図６】
2007221477.tif 000008
【図７】
2007221477.tif 000009
【図８】
2007221477.tif 000010
【図９】
2007221477.tif 000011
【図１０】
2007221477.tif 000012
【図１１】
2007221477.tif 000013
【図１２】
2007221477.tif 000014
【図１３】
2007221477.tif 000015